(57)【特許請求の範囲】
【請求項１】
４０℃動粘度が１０ｍｍ２／ｓ以上６０ｍｍ２／ｓ以下の基油と、
金属石鹸及び金属複合石鹸からなる群から選択された少なくとも１種の石鹸を含む増稠剤と、
多孔質ポリアミド粒子を含む固体潤滑剤と、を含有し、
前記多孔質ポリアミド粒子の配合量は、潤滑グリース組成物の全質量に対して、１質量％以上２０質量％以下であることを特徴とする潤滑グリース組成物。
【請求項２】
前記多孔質ポリアミド粒子は、比表面積が２．０ｍ２／ｇ以上であって、平均粒子径が１μｍ以上３０μｍ以下である、請求項１に記載の潤滑グリース組成物。
【請求項３】
前記増稠剤は、リチウム石鹸及びリチウム複合石鹸からなる群から選択された少なくとも１種の石鹸である、請求項１又は請求項２に記載の潤滑グリース組成物。
【請求項４】
前記基油が、合成炭化水素油、エステル系合成油、エーテル系合成油及びグリコール系合成油からなる群から選択された少なくとも１種の合成油を含む、請求項１から請求項３のいずれか１項に記載の潤滑グリース組成物。
【請求項５】
前記基油が、ポリ−α−オレフィン、エチレン−α―オレフィンオリゴマー、エチレン−α―オレフィン共重合体、ポリブテン、アルキルベンゼン及びアルキルナフタレンからなる群から選択された少なくとも１種の合成炭化水素油を含む、請求項１から請求項３のいずれか１項に記載の潤滑グリース組成物。
【請求項６】
前記多孔質ポリアミド粒子が、ナイロン６（ＰＡ６）、ナイロン６６（ＰＡ６６）及びナイロン１２（ＰＡ１２）からなる群から選択された少なくとも１種のポリアミド粒子を含む、請求項１から請求項５のいずれか１項に記載の潤滑グリース組成物。
【請求項７】
樹脂部材間及び樹脂部材と金属部材との間の潤滑用である、請求項１から請求項６のいずれか１項に記載の潤滑グリース組成物。
【請求項８】
樹脂部材の歯車間及び樹脂部材の歯車と金属部材の歯車との間の潤滑用である、請求項１から請求項６のいずれか１項に記載の潤滑グリース組成物。
【発明の詳細な説明】
【技術分野】
【０００１】
本発明は、潤滑グリース組成物に関する。
【背景技術】
【０００２】
従来、歯車及び摺動部材の摺動部では、潤滑剤として潤滑グリース組成物が使用されている。このような潤滑グリース組成物としては、基油、増稠剤及び固体潤滑剤としてのメラミンシアヌレート（ＭＣＡ）及びポリテトラフルオロエチレン（ＰＴＦＥ）を含有するグリース組成物が提案されている（例えば、特許文献１参照）。特許文献１に記載のグリース組成物においては、メラミンシアヌレート及びポリテトラフルオロエチレンの配合量がグリース組成物の全質量に対して所定範囲内であると共に、メラミンシアヌレート及びポリテトラフルオロエチレンの配合比率が所定範囲内である。これにより、動摩擦係数を低減して潤滑性能を有すると共に、静摩擦係数を増大して静止機能を併せ持つグリース組成物を実現している。
【先行技術文献】
【特許文献】
【０００３】
【特許文献１】特開２００９−１３３５１号公報
【発明の概要】
【発明が解決しようとする課題】
【０００４】
近年、自動車部品では、軽量化及び低コスト化のために、歯車及び摺動部材の摺動部に樹脂部材が使用されることが多くなってきている。また、自動車の減速装置内の減速ギア部では、安全性及び防犯の観点から、静止時のすべり防止のために、摺動部材間に高い静摩擦係数が得られるグリースが必要とされている。さらに、このような摺動部材としての樹脂部材間又は樹脂部材と金属部材との間の摺動部に使用されるグリースでは、耐久性に優れることも必要とされている。ここでの耐久性とは、長時間摺動後の静止摩擦係数が低下しないことである。また、近年の省電力化の観点から、起動時の起動電圧を下げるために、グリースには優れた起動性が要求されるようになってきている。ここでの起動性とは、高荷重下で長時間静止後の起動時の静摩擦係数が低いことである。さらに、低温性の要求も厳しくなっており、グリースには、低温性に優れることも必要とされている。【０００５】
特許文献１に記載のグリース組成物は、潤滑機能及び静止機能を併せ持つ一方、近年要求されている静止機能、耐久性及び低温性については必ずしも十分でない場合がある。そこで、摺動部材間の静摩擦係数を高くでき、静止機能、耐久性及び低温性に優れた潤滑グリース組成物が望まれている。【０００６】
本発明は、このような実情に鑑みてなされたものであり、摺動部材間の静摩擦係数を高くでき、起動性、耐久性及び低温性に優れた潤滑グリース組成物を提供する。
【課題を解決するための手段】
【０００７】
本発明に係る潤滑グリース組成物は、４０℃動粘度が１０ｍｍ２／ｓ以上６０ｍｍ２／ｓ以下の基油と、金属石鹸及び金属複合石鹸からなる群から選択された少なくとも１種の石鹸を含む増稠剤と、多孔質ポリアミド粒子を含む固体潤滑剤と、を含有し、前記多孔質ポリアミド粒子の配合量は、潤滑グリース組成物の全質量に対して、１質量％以上２０質量％以下であることを特徴とする。【０００８】
本発明に係る潤滑グリース組成物によれば、基油の４０℃動粘度が１０ｍｍ２／ｓ以上であるので、基油の粘度が適度に低くなり摺動部材が高荷重下で長時間静止した場合であっても、起動性が悪化することがない。また、潤滑グリース組成物は、基油の４０℃動粘度が６０ｍｍ２／ｓ以下であるので、基油の粘度が適度に増大し、摺動部材間の摺動を長時間行った場合であっても、摺動部の静摩擦係数を高く維持して耐久性が向上すると共に、低温条件下でもトルクの増大を抑制して低温性が向上する。さらに、潤滑グリース組成物は、多孔質ポリアミド粒子の配合量が、潤滑グリース組成物の全質量に対して、１質量％以上２０質量％以下であるので、潤滑グリース組成物中に多孔質ポリアミド粒子が適度な範囲に含まれ、静摩擦係数が増大して耐久性及び起動性が向上する。したがって、潤滑グリース組成物は、摺動部材間の静摩擦係数を高くでき、しかも、優れた起動性、耐久性及び低温性を付与することが可能となる。【０００９】
上記潤滑グリース組成物においては、前記多孔質ポリアミド粒子は、比表面積が２．０ｍ２／ｇ以上であって、平均粒子径が１μｍ以上３０μｍ以下であることが好ましい。この構成により、潤滑グリース組成物に含まれる多孔質ポリアミド粒子の比表面積が２．０ｍ２／ｇ以上であるので、固体潤滑剤の平均粒子径が適度に大きくなり、固体潤滑剤と基油とのなじみがよくなる。これにより、潤滑グリース組成物は、高荷重下で長時間静止した場合であっても、起動時の静摩擦係数が低くなり起動性が向上する。また、潤滑グリース組成物は、多孔質ポリアミド粒子の平均粒子径が１μｍ以上であるので、多孔質ポリアミド粒子の平均粒子径が適度に大きくなり潤滑グリース組成物を用いた摺動部材間の静摩擦係数が増大する。また、潤滑グリース組成物は、多孔質ポリアミド粒子の平均粒子径が３０μｍ以下であるので、多孔質ポリアミド粒子が摺動部材の摺動部間に入りやすくなり静摩擦係数が増大する。したがって、潤滑グリース組成物は、より一層摺動部材間の静摩擦係数を高くでき、優れた起動性、耐久性及び低温性を示すことが可能となる。【００１０】
上記潤滑グリース組成物においては、前記増稠剤は、リチウム石鹸及びリチウム複合石鹸からなる群から選択された少なくとも１種の石鹸であることが好ましい。この構成により、潤滑グリース組成物は、増稠剤が耐熱性に優れたリチウム石鹸及びリチウム複合石鹸を含むので、摺動部材間の静摩擦係数を更に高くすることが可能となる。【００１１】
上記潤滑グリース組成物においては、前記基油が、合成炭化水素油、エステル系合成油、エーテル系合成油及びグリコール系合成油からなる群から選択された少なくとも１種の合成油を含むことが好ましい。これにより、潤滑グリース組成物に、これらの基油を介して適度な範囲の粘度が付与されるので、静摩擦係数をより高くでき、起動性、耐久性及び低温性がより一層向上する。【００１２】
上記潤滑グリース組成物においては、前記基油が、ポリ−α−オレフィン、エチレン−α―オレフィンオリゴマー、エチレン−α―オレフィン共重合体、ポリブテン、アルキルベンゼン及びアルキルナフタレンからなる群から選択された少なくとも１種の合成炭化水素油を含むことが好ましい。これにより、潤滑グリース組成物に、これらの基油を介して適度な範囲の粘度が付与されるので、静摩擦係数をより高くでき、起動性、耐久性及び低温性がより一層向上する。【００１３】
上記潤滑グリース組成物においては、前記多孔質ポリアミド粒子が、ナイロン６（ＰＡ６）、ナイロン６６（ＰＡ６６）及びナイロン１２（ＰＡ１２）からなる群から選択された少なくとも１種のポリアミド粒子を含むことが好ましい。これにより、これらのポリアミド粒子を介して潤滑グリース組成物の耐摩耗性、耐寒冷性、耐衝撃性及び耐油性が向上するので、静摩擦係数をより高くでき、起動性、耐久性及び低温性がより一層向上する。【００１４】
上記潤滑グリース組成物は、樹脂部材間又は樹脂部材と金属部材との間の潤滑用であることが好ましい。これにより、潤滑グリース組成物は、樹脂部材間及び樹脂部材と金属部材との間の摺動部に用いられた場合であっても、摺動部における静摩擦係数をより高くできると共に、摺動部材としての樹脂部材及び金属部材の起動性、耐久性及び低温性が向上する。【００１５】
上記潤滑グリース組成物は、樹脂部材の歯車間及び樹脂部材の歯車と金属部材の歯車との間の潤滑用であることが好ましい。これにより、潤滑グリース組成物が、樹脂部材の歯車間及び樹脂部材の歯車と金属部材の歯車との間の摺動部に用いられた場合であっても、摺動部における静摩擦係数をより高くできると共に、摺動部材としての樹脂部材間及び樹脂部材と金属部材との間の起動性、耐久性及び低温性が向上する。
【発明の効果】
【００１６】
本発明によれば、摺動部材間の静摩擦係数を高くでき、起動性、耐久性及び低温性に優れた潤滑グリース組成物を実現できる。
【発明を実施するための形態】
【００１７】
以下、本発明の実施の形態について詳細に説明する。
本発明に係る潤滑グリース組成物は、４０℃動粘度が１０ｍｍ２／ｓ以上６０ｍｍ２／ｓ以下の基油と、金属石鹸及び金属複合石鹸からなる群から選択された少なくとも１種の石鹸を含む増稠剤と、多孔質ポリアミド粒子を含む固体潤滑剤と、を含有し、前記多孔質ポリアミド粒子は、潤滑グリース組成物の全質量に対して、１質量％以上２０質量％以下である。
【００１８】
本発明に係る潤滑グリース組成物によれば、基油の４０℃動粘度が１０ｍｍ２／ｓ以上であるので、基油の粘度が適度に低くなり、高荷重下で長時間静止した場合であっても、摺動部材の起動性が悪化することがない。また、基油の４０℃動粘度が６０ｍｍ２／ｓ以下であるので、基油の粘度が適度に増大し、摺動部分が部材間の摺動を長時間行った場合であっても静摩擦係数を高く維持して耐久性が向上すると共に、低温条件下でもトルクの増大を抑制して低温性が向上する。さらに、多孔質ポリアミド粒子の配合量が、潤滑グリース組成物の全質量に対して、１質量％以上２０質量％以下であるので、潤滑グリース組成物中に多孔質ポリアミド粒子が適度な範囲に含まれ、静摩擦係数が増大して耐久性が向上する。したがって、摺動部材間の静摩擦係数を高くでき、しかも、起動性、耐久性及び低温性に優れた潤滑グリース組成物を実現することが可能となる。以下、潤滑グリース組成物の各種構成要素について詳細に説明する。
【００１９】
＜基油＞
基油としては、４０℃動粘度が１０ｍｍ２／ｓ以上６０ｍｍ２／ｓ以下のものを用いられる。基油は、４０℃動粘度が１０ｍｍ２／ｓ以上であれば、潤滑グリース組成物の粘度が適度に低くなり、高荷重下で長時間静止した場合であっても、摺動部材の起動性が悪化することがない。また、基油は、４０℃動粘度が６０ｍｍ２／ｓ以下であれば、潤滑グリース組成物の粘度が適度に増大し、摺動部材が長時間摺動した場合であっても、静摩擦係数の低下を防いで耐久性が向上すると共に、低温条件下においてもトルクの増大を抑制して低温性が向上する。基油の４０℃動粘度は、上述した効果がより一層向上する観点から、１２．５ｍｍ２／ｓ以上であることが好ましく、１５ｍｍ２／ｓ以上であることがより好ましく、１７．５ｍｍ２／ｓ以上であることが更に好ましく、また５５ｍｍ２／ｓ以下であることが好ましく、５０ｍｍ２／ｓ以下であることがより好ましく、４７．５ｍｍ２／ｓ以下であることが更に好ましい。
【００２０】
基油としては、合成炭化水素油、エステル系合成油、エーテル系合成油、グリコール系合成油の少なくとも１種の合成油を含むことが好ましい。これらの合成油は、１種類を単独で用いてもよく、２種類以上を併用してもよい。これにより、潤滑グリース組成物の動粘度が容易に上記範囲内に調整されるので、静摩擦係数をより高くでき、起動性、耐久性及び低温性がより一層向上する。
【００２１】
合成炭化水素油としては、本発明の効果を奏する範囲で各種合成炭化水素油を用いることができる。これらの合成炭化水素油は、１種類を単独で用いてもよく、２種類以上を併用してもよい。これらの中でも、ポリ−α−オレフィン（ＰＡＯ）、エチレン−α―オレフィンオリゴマー、エチレン−α―オレフィン共重合体、ポリブテン、アルキルベンゼン及びアルキルナフタレンからなる群から選択された少なくとも１種の合成炭化水素油が好ましく、ポリ−α−オレフィン、エチレン−α―オレフィンオリゴマー、エチレン−α―オレフィン共重合体及びポリブテンからなる群から選択された少なくとも１種合成炭化水素油がより好ましい。これにより、潤滑グリース組成物中に、適度な範囲の粘度を有する基油が含まれるので、静摩擦係数をより高くでき、起動性、耐久性及び低温性がより一層向上する。また、潤滑対象物となる摺動部材としての樹脂部材の樹脂に対する影響を低減でき、樹脂部材の劣化を防ぐことができる。また、合成炭化水素油としては、摺動部材としての樹脂部材の樹脂に対する影響を低減して樹脂部材の劣化を防ぐことができる観点から、ポリ−α−オレフィンが更に好ましい。
【００２２】
エステル系合成油としては、例えば、ジエステル、ポリオールエステル及び芳香族エステルなどの各種エステル油が挙げられる。これらのエステル系合成油は、１種類を単独で用いてもよく、２種類以上を併用してもよい。
【００２３】
エーテル系合成油としては、例えば、アルキルジフェニルエーテルなどの各種エーテル油が挙げられる。これらのエーテル系合成油は、１種類を単独で用いてもよく、２種類以上を併用してもよい。
【００２４】
グリコール系合成油としては、ポリエチレングリコール及びポリプロピレングリコールなどの各種グリコール油が挙げられる。これらのグリコール系合成油は、１種類を単独で用いてもよく、２種類以上を併用してもよい。
【００２５】
基油の配合量は、摺動部材間の静摩擦係数を高くでき、優れた起動性、耐久性及び低温性を付与する観点から、潤滑グリース組成物の全質量に対して、５０質量％以上１００質量％以下であることが好ましく、６０質量％以上９５質量％以下であることが好ましく、７０質量％以上９０質量％以下であることが好ましく、７５質量％以上８７．５質量％以下であることが好ましい。
【００２６】
＜増稠剤＞
増稠剤としては、金属石鹸及び金属複合石鹸からなる群から選択される少なくとも１種の石鹸が用いられる。金属石鹸及び金属複合石鹸は、１種類の金属石鹸又は金属複合石鹸を単独で用いてもよく、２種類以上の金属石鹸及び金属複合石鹸を併用してもよい。
【００２７】
金属石鹸及び金属複合石鹸は、１２−ヒドロキシステアリン酸などのステアリン酸類、アゼライン酸などのアゼライン酸類、ラウリン酸類、リシノール酸類、オクチル酸類などの脂肪酸又は脂肪酸誘導体と、リチウム、ナトリウム、カリウム、マグネシウム、カルシウム、バリウム、亜鉛、アルミニウムなどの金属との化合物である。
【００２８】
金属石鹸としては、例えば、リチウム石鹸、ナトリウム石鹸、カリウム石鹸、カルシウム石鹸、バリウム石鹸、アルミニウム石鹸などが挙げられる。これらの金属石鹸は、１種類を単独で用いてもよく、２種類以上を併用してもよい。リチウム石鹸としては、例えば、１２−ヒドロキシステアリン酸を使用したステアリン酸類の石鹸などが挙げられる。
【００２９】
また、金属複合石鹸としては、例えば、リチウム複合石鹸、カルシウム複合石鹸、バリウム複合石鹸などが挙げられる。これらの金属複合石鹸は、１種類を単独で用いてもよく、２種類以上を併用してもよい。リチウム複合石鹸としては、例えば、１２−ヒドロキシステアリン酸及びステアリン酸を使用したステアリン酸類の石鹸などが挙げられる。
【００３０】
増稠剤としては、これらの中でも、リチウム石鹸及びリチウム複合石鹸からなる群から選択された少なくとも１種の石鹸を含むことが好ましい。これにより、潤滑グリース組成物は、増稠剤として耐熱性に優れたリチウム石鹸及びリチウム複合石鹸を含むので、摺動部材間の静摩擦係数を更に高くすることが可能となる。
【００３１】
増稠剤の配合量は、摺動部材間の静摩擦係数を高くでき、優れた起動性及び耐久性を付与する観点から、潤滑グリース組成物の全質量に対して、３質量％以上であることが好ましく、５質量％以上であることがより好ましく、７．５質量％以上であることが更に好ましく、また稠度が高くなり低温トルクが低減されて優れた低温性を付与する観点から、２０質量％以下であることが好ましく、１９質量％以下であることがより好ましく、１７質量％以下であることが更に好ましい。以上を考慮すると、増稠剤の配合量は、潤滑グリース組成物の全質量に対して、３質量％以上２０質量％以下であることが好ましく、５質量％以上１９質量％以下であることがより好ましく、７．５質量％以上１７質量％以下であることが更に好ましい。
【００３２】
増稠剤の配合量は、摺動部材間の静摩擦係数を高くでき、優れた起動性、耐久性及び低温性を付与する観点から、基油１００質量部に対して、５質量％以上３０質量％以下であることが好ましく、７．５質量％以上２５質量％以下であることが好ましく、１０質量％以上２１質量％以下であることが好ましい。
【００３３】
＜固体潤滑剤＞
固体潤滑剤は、多孔質ポリアミド粒子を含有する。多孔質ポリアミド粒子としては、本発明の効果を奏する範囲で各種多孔質ポリアミド粒子を用いることができる。多孔質ポリアミド粒子は、１種を単独で用いてもよく、２種以上を併用してもよい。これらの中でも、多孔質ポリアミド粒子としては、摺動部材間の静摩擦係数を高くでき、優れた起動性、耐久性及び低温性を付与する観点から、ナイロン６（ＰＡ６）、ナイロン６６（ＰＡ６６）及びナイロン１２（ＰＡ１２）からなる群から選択された少なくとも１種のポリアミド粒子を含むことが好ましく、ナイロン６（ＰＡ６）及びナイロン１２（ＰＡ１２）がより好ましい。これにより、潤滑グリース組成物は、耐摩耗性、耐寒冷性、耐衝撃性及び耐油性が向上するので、静摩擦係数をより高くでき、起動性、耐久性及び低温性がより一層向上する。
【００３４】
多孔質ポリアミド粒子は、球状ポリアミド粒子とは全体形状及び表面形状が異なる。球状ポリアミド粒子は、表面が平滑な完全な球状であるのに対し、多孔質ポリアミド粒子は、完全な球状ではなく、表面に多数の孔がある。多孔質ポリアミド粒子は、多孔質で比表面積が大きいので、平均粒子径がある程度大きくても基油とのなじみがよい状態で潤滑グリース組成物中に含まれ得る。この多孔質ポリアミド粒子を固体潤滑剤として用いることにより、潤滑グリース組成物を摺動部材に使用する際、摺動部材の静摩擦係数を増大させることができ、長時間高荷重下で静止後の起動時の静摩擦係数が低くなり、起動性が向上する。これに対して、球状ポリアミド粒子では、平均粒子径が５μｍ以上となると基油とのなじみが悪くなり、静摩擦係数が減少して摺動部材の起動性が悪化する。また、球状ポリアミド粒子では、平均粒子径が５０μｍ以上になると、球状ポリアミド粒子が摺動部材の摺動部に入れなくなるので、静摩擦係数が低くなる。
【００３５】
多孔質ポリアミド粒子は、平均粒子径が１μｍ以上３０μｍ以下であることが好ましい。これにより、多孔質ポリアミド粒子は、平均粒子径が１μｍ以上であるので、多孔質ポリアミド粒子の平均粒子径が適度に大きくなり、潤滑グリース組成物を用いた摺動部材間の静摩擦係数を高く維持した状態で基油とのなじみがよくなり、潤滑グリース組成物を用いた摺動部材の起動性が増大する。また、多孔質ポリアミド粒子は、平均粒子径が３０μｍ以下であるので、多孔質ポリアミド粒子が摺動部材の摺動部間に入りやすくなり静摩擦係数が増大する。多孔質ポリアミド粒子の平均粒子径は、摺動部材間の静摩擦係数を高くでき、より一層優れた起動性、耐久性及び低温性を付与する観点から、２μｍ以上であることが好ましく、３μｍ以上であることがより好ましく、４μｍ以上であることが更に好ましく、また２０μｍ以下であることが好ましく、１５μｍ以下であることがより好ましく、１２．５μｍ以下であることが更に好ましい。なお、本実施の形態において、平均粒子径は、レーザー回折／散乱式粒子径分布測定装置（型番「ＬＡ−９２０」、株式会社堀場製作所製、測定原理：レーザー回折法）によって測定された値である。
【００３６】
また、多孔質ポリアミド粒子は、摺動部材間の静摩擦係数を高くでき、優れた起動性、耐久性及び低温性を付与する観点から、比表面積が２．０ｍ２／ｇ以上であることが好ましい。これにより、多孔質ポリアミド粒子は、平均粒子径が適度に大きくなって基油とのなじみがよくなるので、潤滑グリース組成物は、高荷重下で長時間静止した場合であっても、起動時の静摩擦係数が低くなり起動性が向上する。多孔質ポリアミド粒子の比表面積は、上述した効果がより一層向上する観点から、２．２ｍ２／ｇ以上であることが好ましく、２．３ｍ２／ｇ以上であることがより好ましく、２．４ｍ２／ｇ以上であることが更に好ましい。また、固体潤滑剤の比表面積の上限値に特に制限はない。固体潤滑剤の比表面積は、潤滑グリース組成物の稠度の低下を防いで低温トルクを低減する観点化から、２０ｍ２／ｇ以下であることが好ましく、１５ｍ２／ｇ以下であることがより好ましく、１２．５ｍ２／ｇ以下であることが更に好ましく、１０ｍ２／ｇ以下であることがより更に好ましく、また多孔質ポリアミド粒子の粒子径が適度に大きく静摩擦係数を増大する観点から、８．７ｍ２／ｇ以下であることが特に好ましい。なお、本実施の形態において、比表面積は、比表面積・細孔分布：比表面積／細孔分布測定装置（型番「ＢＥＬＳＯＲＰ−ｍｉｎｉＩＩ」、マイクロトラック・ベル株式会社製、測定原理：（定容量式ガス吸着法））によって測定された値である。
【００３７】
多孔質ポリアミド粒子の配合量は、潤滑グリース組成物の全質量に対して、１質量％以上２０質量％以下である。多孔質ポリアミド粒子の配合量は、潤滑グリース組成物の全質量に対して、１質量％以上２０質量％以下であれば、潤滑グリース組成物中に多孔質ポリアミド粒子が適度な範囲で含まれるので、静摩擦係数が増大して耐久性及び起動性が向上する。多孔質ポリアミド粒子の配合量は、上述した効果がより一層向上する観点から、潤滑グリース組成物の全質量に対して、１．２５質量％以上であることが好ましく、１．５質量％以上であることがより好ましく、１．７５質量％以上であることが更に好ましく、また１７．５質量％以下であることが好ましく、１５質量％以下であることがより好ましく、１２．５質量％以下であることが更に好ましい。
【００３８】
また、多孔質ポリアミド粒子の配合量は、摺動部材間の静摩擦係数を高くでき、優れた起動性、耐久性及び低温性を付与する観点から、基油１００質量部に対して、１質量％以上であることが好ましく、１．５質量％以上であることがより好ましく、２質量％以上であることが更に好ましく、また２２．５質量％以下であることが好ましく、２０質量％以下であることがより好ましく、１７．５質量％以下であることが更に好ましい。
【００３９】
潤滑グリース組成物は、本発明の効果を奏する範囲で他の物質を含有してもよい。他の物質としては、例えば、酸化防止剤、極圧剤、防錆剤、腐食防止剤、粘度指数向上剤、油性剤などが適宜選択して用いられる。
【００４０】
酸化防止剤としては、例えば、２，６−ジ−ｔ−ブチル−４−メチルフェノール、４，４’−メチレンビス（２，６−ジ−ｔ−ブチルフェノール）などのフェノール系酸化防止剤、炭素数４以上２０以下のアルキル基を有するアルキルジフェニルアミン、トリフェニルアミン、フェニル−α−ナフチルアミン、フェノチアジン、アルキル化フェニル−α−ナフチルアミン、フェニチアジン、アルキル化フェノチアジンなどのアミン系酸化防止剤などが挙げられる。これらの酸化防止剤は、１種を単独で用いてもよく、２種以上を混合して用いてもよい。
【００４１】
極圧剤としては、例えば、酸性リン酸エステル、亜リン酸エステル、酸性リン酸エステルアミン塩などのリン系化合物、スルフィド類、ジスルフィド類などの硫黄系化合物、塩素化パラフィン、塩素化ジフェニルなどの塩素系化合物、及びジアルキルジチオリン酸亜鉛（ＺｎＤＴＰ）、ジアルキルジチオカルバミン酸モリブデン（ＭｏＤＴＰ）などの金属有機化合物などが挙げられる。これらの極圧添加剤は、１種を単独で用いてもよく、２種以上を混合して用いてもよい。
【００４２】
防錆剤としては、例えば、脂肪酸、脂肪酸石鹸、アルキルスルホン酸塩、脂肪酸アミン、酸化パラフィン、ポリオキシエチレンアルキルエーテルなどが挙げられる。これらの防錆材は、１種を単独で用いてもよく、２種以上を混合して用いてもよい。
【００４３】
腐食防止剤としては、例えば、ベンゾトリアゾール、ベンゾイミダゾール、チアジアゾールなどが挙げられる。これらの腐食防止剤は、１種を単独で用いてもよく、２種以上を混合して用いてもよい。
【００４４】
粘度指数向上剤としては、例えば、ポリメタクリレート、エチレン-プロピレン共重合体、ポリイソブチレン、ポリアルキルスチレン、スチレン-イソプレン共重合体水素化物などが挙げられる。これらの粘度指数向上剤は、１種を単独で用いてもよく、２種以上を混合して用いてもよい。
【００４５】
油性剤としては、例えば、脂肪酸、高級アルコール、多価アルコール、多価アルコールエステル、脂肪族エステル、脂肪族アミン、脂肪酸モノグリセライドなどが挙げられる。これらの油性剤は、１種を単独で用いてもよく、２種以上を混合して用いてもよい。
【００４６】
潤滑グリース組成物においては、摺動部材としての樹脂部材間及び樹脂部材と金属部材との間の潤滑用であることが好ましい。これにより、潤滑グリース組成物が、樹脂部材間及び樹脂部材と金属部材との間の摺動部に用いられた場合であっても、摺動部における静摩擦係数をより高くできると共に、摺動部材としての樹脂部材及び金属部材の起動性、耐久性及び低温性が向上する。
【００４７】
潤滑グリース組成物においては、樹脂部材同士の歯車間及び樹脂部材の歯車と金属部材の歯車との間の潤滑用であることが好ましい。これにより、潤滑グリース組成物が、樹脂部材同士の歯車間及び樹脂部材の歯車と金属部材の歯車との間の摺動部に用いられた場合であっても、摺動部における静摩擦係数をより高くできると共に、摺動部材としての樹脂部材の歯車及び金属部材の歯車の起動性、耐久性及び低温性が向上する。
【００４８】
潤滑グリース組成物が用いられる摺動部材としての樹脂部材の樹脂としては、例えば、ポリエチレン（ＰＥ）、ポリプロピレン（ＰＰ）、アクリロニトリルブタジエンスチレン共重合体（ＡＢＳ樹脂）、ポリアセタール（ＰＯＭ）、ナイロン（ＰＡ）、ポリカーボネート（ＰＣ）、フェノール樹脂（ＰＦ）、ポリエチレンテレフタレート（ＰＥＴ）、ポリブチレンテレフタレート（ＰＢＴ）、ポリフェニレンサルファイド（ＰＰＳ）、ポリエーテルスルフォン（ＰＥＳ）、ポリイミド（ＰＩ）、ポリエーテルエーテルケトン（ＰＥＥＫ）などの各種樹脂が挙げられる。また、潤滑グリース組成物が用いられる摺動部材としての金属部材の金属としては、例えば、ステンレス、鉄、鋼、銅などの各種金属が挙げられる。
【００４９】
潤滑グリース組成物は、付着滑り試験機（往復動試験機）（神鋼造機株式会社製）を用いて、各種試験条件により試験片としての金属プレート上にグリースを塗布し、その上から樹脂製の上部試験片を押しつけて往復摺動させたときに、樹脂製ボールと金属プレートとの間に発生する摩擦力から静摩擦係数を測定できる。
【００５０】
潤滑グリース組成物は、十分な静止機能を得る観点から、下記条件で実施した往復動試験における摺動１回目の静摩擦係数が０．１５以上であることが好ましい。
＜試験条件＞
上部試験片      ：ＰＯＭシリンダー（直径１０ｍｍ、長さ１０ｍｍ）
下部試験片      ：Ｓ４５Ｃプレート（金属プレート）
試験荷重        ：１ｋｇｆ
グリース塗布量  ：０．０５ｇ
摺動速度        ：５ｍｍ／ｓｅｃ
試験温度        ：８０℃
摺動距離        ：１０ｍｍ
【００５１】
また、潤滑グリース組成物は、十分な耐久性を得る観点から、下記条件で実施した往復動試験における摺動１００回目の静摩擦係数が０．１５以上であることが好ましい。
＜試験条件＞
上部試験片      ：ＰＯＭシリンダー（直径１０ｍｍ、長さ１０ｍｍ）
下部試験片      ：Ｓ４５Ｃプレート（金属プレート）
試験荷重        ：１ｋｇｆ
グリース塗布量  ：０．０５ｇ
摺動速度        ：５ｍｍ／ｓｅｃ
試験温度        ：８０℃
摺動距離        ：１０ｍｍ
【００５２】
さらに、潤滑グリース組成物は、十分な起動性を得る観点から、下記条件で実施した往復動試験における高荷重負荷状態で１６時間静止後の摺動１回目の静摩擦係数が、０．１以下であることが好ましい。
＜試験条件＞
上部試験片      ：ＰＯＭボール（直径１０ｍｍ）
下部試験片      ：Ｓ４５Ｃプレート（金属プレート）
試験荷重        ：１０ｋｇｆ
グリース塗布量  ：０．０５ｇ
摺動速度        ：５ｍｍ／ｓｅｃ
試験温度        ：８０℃
摺動距離        ：１０ｍｍ
【００５３】
潤滑グリース組成物は、十分な低温トルク性能を得る観点から、試験温度を−４０℃とし、ＪＩＳ  Ｋ２２２０．１８の低温トルク試験方法に準拠して測定された起動時の低温トルクが２０Ｎ・ｃｍ以下であることが好ましい。
【００５４】
本発明に係る潤滑グリース組成物は、複写機、プリンター等の事務機器用部品、減速機・増速機、ギヤ、チェーン、モーター等の動力伝達装置、走行系部品、アンチロックブレーキシステム（ＡＢＳ）などの制御系部品、操舵系部品、変速機などの駆動系部品、パワーウィンドモーター、パワーシートモーター、サンルーフモーターなどの自動車補強部品、電子情報機器、携帯電話などのヒンジ部品、食品・薬品工業、鉄鋼、建設、ガラス工業、セメント工業、フィルムテンター、化学・ゴム・樹脂工業、環境・動力設備、製紙・印刷工業、木材工業、繊維・アパレル工業における各種部品や相対運動する機械部品などに広く適用可能である。また、本発明に係る潤滑グリース組成物は、転がり軸受、スラスト軸受、動圧軸受、樹脂軸受、直動装置などの軸受などにも適用可能である。
【００５５】
以上説明したように、上記実施の形態に係る潤滑グリース組成物によれば、基油の４０℃動粘度が１０ｍｍ２／ｓ以上であるので、基油の粘度が適度に低くなり摺動部材が高荷重下で長時間静止した場合であっても、起動性が悪化することがない。また、潤滑グリース組成物は、基油の４０℃動粘度が６０ｍｍ２／ｓ以下であるので、基油の粘度が適度に増大し、摺動部材間の摺動を長時間行った場合であっても、摺動部の静摩擦係数を高く維持して耐久性が向上すると共に、低温条件下でもトルクの増大を抑制して低温性が向上する。さらに、潤滑グリース組成物は、多孔質ポリアミド粒子の配合量が潤滑グリース組成物の全質量に対して、１質量％以上２０質量％以下であるので、潤滑グリース組成物中に多孔質ポリアミド粒子が適度な範囲で含まれるため、静摩擦係数が増大して耐久性が向上する。したがって、潤滑グリース組成物は、摺動部材間の静摩擦係数を高くでき、しかも、起動性、耐久性及び低温性に優れることが可能となる。
【実施例】
【００５６】
以下、本発明の効果を明確にするために行った実施例に基づいて本発明をより詳細に説明する。なお、本発明は、以下の実施例及び比較例によって何ら限定されるものではない。【００５７】
（実施例１）
基油としては、ポリ−α−オレフィン（４０℃動粘度：１８ｍｍ２／s、商品名「ＤＵＲＡＳＹＮ（登録商標）  １６４」、イネオスオリゴマーズジャパン社製）を用いた。増稠剤としては、１２−ヒドロキシステアリン酸（ケイエフ・トレーディング社製）と、水酸化リチウムとを混合したリチウム石鹸を用いた。ポリ−α−オレフィン８４質量部と、リチウム石鹸１３質量部となるように、１２−ヒドロキシステアリン酸（ケイエフ・トレーディング株式会社製）と、水酸化リチウム（本荘ケミカル株式会社製）とを混合攪拌釜にて、８０℃以上１３０℃以下で加熱攪拌してけん化反応を行った。次に、溶融温度まで加熱攪拌した後、約１００℃に冷却した。続いて、生成したゲル状物質に固体潤滑剤としての多孔質ポリアミド粒子（ＰＡ６）（平均粒子径１３μｍ、比表面積３．６ｍ２／ｇ、商品名「ＴＲ１」、東レ株式会社製）２質量部と、酸化防止剤としてのフェニルナフチルアミン（商品名「ＶＡＮＬＵＢＥ（登録商標）  ８１」、三洋化成工業株式会社製）１質量部とを加えて攪拌した。攪拌後のゲル状物質をロールミル又は高圧ホモジナイザーに通して潤滑グリース組成物を調製し、調製した潤滑グリース組成物を評価した。各評価における静止摩擦係数は、静止機能評価では０．１６であり、耐久性評価では０．１６であり、起動性評価では０．０８であった。また、低温性評価では、低温トルクが１８Ｎ・ｃｍであった。潤滑グリース組成物の配合量及び評価結果を下記表１に示す。なお、増稠剤を構成する各成分の量は、増稠剤の全質量に対し、１２−ヒドロキシステアリン酸が８８質量％であり、水酸化リチウムが１２質量％であった。
【００５８】
（実施例２）
リチウム石鹸の配合量が１１質量部となり、固体潤滑剤が４質量部となるように配合したこと以外は、実施例１と同様にして潤滑グリース組成物を調製して評価した。各評価における静止摩擦係数は、静止機能評価では０．１７であり、耐久性評価では０．１８であり、起動性評価では０．０６であった。また、低温性評価では、低温トルクが１６Ｎ・ｃｍであった。潤滑グリース組成物の配合量及び評価結果を下記表１に示す。
【００５９】
（実施例３）
ポリ−α−オレフィン（４０℃動粘度：１８ｍｍ２／s、商品名「ＤＵＲＡＳＹＮ（登録商標）  １６４」、イネオスオリゴマーズジャパン社製）の配合量が７８質量部となり、リチウム石鹸の配合量が１６質量部となり、固体潤滑剤としての多孔質ポリアミド粒子（ＰＡ６）（平均粒子径１３μｍ、比表面積３．６ｍ２／ｇ、商品名「ＴＲ１」、東レ株式会社製）６質量部となるように配合したこと以外は、実施例１と同様にして潤滑グリース組成物を調製して評価した。各評価における静止摩擦係数は、静止機能評価では０．１９であり、耐久性評価では０．２０であり、起動性評価では０．０８であった。また、低温性評価では、低温トルクが１９Ｎ・ｃｍであった。潤滑グリース組成物の配合量及び評価結果を下記表１に示す。
【００６０】
（実施例４）
ポリ−α−オレフィン（４０℃動粘度：１８ｍｍ２／s、商品名「ＤＵＲＡＳＹＮ（登録商標）  １６４」、イネオスオリゴマーズジャパン社製）の配合量が８２質量部となり、リチウム石鹸の配合量が９質量部となり、固体潤滑剤が８質量部となるように配合したこと以外は、実施例１と同様にして潤滑グリース組成物を調製して評価した。各評価における静止摩擦係数は、静止機能評価では０．１８であり、耐久性評価では０．１８であり、起動性評価では０．０７であった。また、低温性評価では、低温トルクが１５Ｎ・ｃｍであった。潤滑グリース組成物の配合量及び評価結果を下記表１に示す。
【００６１】
（実施例５）
リチウム石鹸の配合量が１１質量部となり、固体潤滑剤としての多孔質ポリアミド粒子（ＰＡ６）（平均粒子径１３μｍ、比表面積３．６ｍ２／ｇ、商品名「ＴＲ１」、東レ株式会社製）２質量部に代えて、多孔質ポリアミド粒子（ＰＡ６）（平均粒子径１３μｍ、比表面積２．５ｍ２／ｇ、商品名「ＴＲ２」、東レ株式会社製）が４質量部となるように配合したこと以外は、実施例１と同様にして潤滑グリース組成物を調製して評価した。各評価における静止摩擦係数は、静止機能評価では０．２０であり、耐久性評価では０．２１であり、起動性評価では０．０９であった。また、低温性評価では、低温トルクが１６Ｎ・ｃｍであった。潤滑グリース組成物の配合量及び評価結果を下記表１に示す。
【００６２】
（実施例６）
ポリ−α−オレフィン（４０℃動粘度：１８ｍｍ２／s、商品名「ＤＵＲＡＳＹＮ（登録商標）  １６４」、イネオスオリゴマーズジャパン社製）の配合量が８５質量部となり、リチウム石鹸の配合量が１０質量部となり、固体潤滑剤としての多孔質ポリアミド粒子（ＰＡ６）（平均粒子径１３μｍ、比表面積３．６ｍ２／ｇ、商品名「ＴＲ１」、東レ株式会社製）２質量部に代えて、多孔質ポリアミド粒子（ＰＡ１２）（平均粒子径５μｍ、比表面積８．７ｍ２／ｇ、商品名「ＯＲＧＡＳＯＬ（登録商標）  ２００１  ＵＤ」、アルケマ株式会社製）が４質量部となるように配合したこと以外は、実施例１と同様にして潤滑グリース組成物を調製して評価した。各評価における静止摩擦係数は、静止機能評価では０．１７であり、耐久性評価では０．１６であり、起動性評価では０．０８であった。また、低温性評価では、低温トルクが１６Ｎ・ｃｍであった。潤滑グリース組成物の配合量及び評価結果を下記表１に示す。
【００６３】
（実施例７）
ポリ−α−オレフィン（４０℃動粘度：１８ｍｍ２／s、商品名「ＤＵＲＡＳＹＮ（登録商標）  １６４」、イネオスオリゴマーズジャパン社製）の配合量が８５質量部となり、リチウム石鹸の配合量が１０質量部となり、固体潤滑剤としての多孔質ポリアミド粒子（ＰＡ６）（平均粒子径１３μｍ、比表面積３．６ｍ２／ｇ、商品名「ＴＲ１」、東レ株式会社製）２質量部に代えて、多孔質ポリアミド粒子（ＰＡ１２）（平均粒子径１０μｍ、比表面積２．５ｍ２／ｇ、商品名「ＯＲＧＡＳＯＬ（登録商標）  ２００１  ＥＸＤ」、アルケマ株式会社製）が４質量部となるように配合したこと以外は、実施例１と同様にして潤滑グリース組成物を調製して評価した。各評価における静止摩擦係数は、静止機能評価では０．１７であり、耐久性評価では０．１８であり、起動性評価では０．０８であった。また、低温性評価では、低温トルクが１６Ｎ・ｃｍであった。潤滑グリース組成物の配合量及び評価結果を下記表１に示す。
【００６４】
（実施例８）
基油としては、ポリ−α−オレフィン（４０℃動粘度：１８ｍｍ２／s、商品名「ＤＵＲＡＳＹＮ（登録商標）  １６４」、イネオスオリゴマーズジャパン社製）を用いた。増稠剤としては、１２−ヒドロキシステアリン酸（ケイエフ・トレーディング株式会社製）と、水酸化リチウム（本庄ケミカル株式会社製）と、アゼライン酸（エメリーオレオケミカルズジャパン社製）とを混合したリチウム複合石鹸を用いた。上記ポリ−α−オレフィン８２質量部と、リチウム複合石鹸が１３質量部となるように、１２−ヒドロキシステアリン酸と、水酸化リチウムとを混合攪拌釜にて、８０℃以上１３０℃以下で加熱攪拌してけん化反応を行った。次に、アゼライン酸を加えて、８０℃以上２００℃以下で加熱攪拌し、水酸化リチウム（本庄ケミカル株式会社製）を加えて再度けん化反応を行ってリチウム複合石鹸を形成した後、約１００℃に冷却した。続いて、生成したゲル状物質に固体潤滑剤としての多孔質ポリアミド粒子（ＰＡ６）（平均粒子径１３μｍ、比表面積３．６ｍ２／ｇ、商品名「ＴＲ１」、東レ株式会社製）４質量部と、酸化防止剤としてのフェニルナフチルアミン（商品名「ＶＡＮＬＵＢＥ（登録商標）  ８１」、三洋化成工業株式会社製）１質量部とを加えて攪拌した。攪拌後のゲル状物質をロールミル又は高圧ホモジナイザーに通して潤滑グリース組成物を調製し、調製した潤滑グリース組成物を評価した。各評価における静止摩擦係数は、静止機能評価では０．１７であり、耐久性評価では０．１７であり、起動性評価では０．０６であった。また、低温性評価では、低温トルクが１７Ｎ・ｃｍであった。潤滑グリース組成物の配合量及び評価結果を下記表１に示す。なお、増稠剤を構成する各成分の量は、いずれも、増稠剤の全質量に対し、１２−ヒドロキシステアリン酸が６３．５質量％であり、アゼライン酸が１９質量％であり、水酸化リチウムが１７．５質量％であった。
【００６５】
（実施例９）
基油としてポリ−α−オレフィン（４０℃動粘度：１８ｍｍ２／s、商品名「ＤＵＲＡＳＹＮ（登録商標）  １６４」、イネオスオリゴマーズジャパン社製）８４質量部に代えて、ポリ−α−オレフィン（４０℃動粘度：３０ｍｍ２／ｓ、商品名「ＤＵＲＡＳＹＮ（登録商標）  １６６」、イネオスオリゴマーズジャパン社製）７９質量部を配合し、リチウム石鹸の配合量が８質量部となり、多孔質ポリアミド粒子（ＰＡ６）（平均粒子径１３μｍ、比表面積３．６ｍ２／ｇ、商品名「ＴＲ１」、東レ株式会社製）の配合量が１２質量部となるように配合したこと以外は、実施例１と同様にして潤滑グリース組成物を調製して評価した。各評価における静止摩擦係数は、静止機能評価では０．２０であり、耐久性評価では０．１９であり、起動性評価では０．０９であった。また、低温性評価では、低温トルクが１８Ｎ・ｃｍであった。潤滑グリース組成物の配合量及び評価結果を下記表１に示す。
【００６６】
（実施例１０）
基油としてポリ−α−オレフィン（４０℃動粘度：１８ｍｍ２／s、商品名「ＤＵＲＡＳＹＮ（登録商標）  １６４」、イネオスオリゴマーズジャパン社製）８２質量部に代えて、ポリ−α−オレフィン（４０℃動粘度：３０ｍｍ２／ｓ、商品名「ＤＵＲＡＳＹＮ（登録商標）  １６６」、イネオスオリゴマーズジャパン社製）８２質量部を配合し、リチウム複合石鹸の配合量が９質量部となり、固体潤滑剤としての多孔質ポリアミド粒子（ＰＡ６）（平均粒子径１３μｍ、比表面積３．６ｍ２／ｇ、商品名「ＴＲ１」、東レ株式会社製）４質量部に代えて、多孔質ポリアミド粒子（ＰＡ１２）（平均粒子径１０μｍ、比表面積２．５ｍ２／ｇ、商品名「ＯＲＧＡＳＯＬ（登録商標）  ２００１  ＥＸＤ」、アルケマ株式会社製）を８質量部配合したこと以外は、実施例８と同様にして潤滑グリース組成物を調製して評価した。各評価における静止摩擦係数は、静止機能評価では０．１９であり、耐久性評価では０．１９であり、起動性評価では０．０９であった。また、低温性評価では、低温トルクが１８Ｎ・ｃｍであった。潤滑グリース組成物の配合量及び評価結果を下記表１に示す。
【００６７】
（実施例１１）
基油としてポリ−α−オレフィン（４０℃動粘度：１８ｍｍ２／s、商品名「ＤＵＲＡＳＹＮ（登録商標）  １６４」、イネオスオリゴマーズジャパン社製）８２質量部に代えて、ポリ−α−オレフィン（４０℃動粘度：３０ｍｍ２／ｓ、商品名「ＤＵＲＡＳＹＮ（登録商標）  １６６」、イネオスオリゴマーズジャパン社製）８１質量部を配合し、リチウム複合石鹸の配合量が１０質量部となり、多孔質ポリアミド粒子（ＰＡ６）（平均粒子径１３μｍ、比表面積３．６ｍ２／ｇ、商品名「ＴＲ１」、東レ株式会社製）の配合量を８質量部配合したこと以外は、実施例８と同様にして潤滑グリース組成物を調製して評価した。各評価における静止摩擦係数は、静止機能評価では０．１９であり、耐久性評価では０．１８であり、起動性評価では０．０６であった。また、低温性評価では、低温トルクが１８Ｎ・ｃｍであった。潤滑グリース組成物の配合量及び評価結果を下記表１に示す。
【００６８】
（実施例１２）
基油としてポリ−α−オレフィン（４０℃動粘度：１８ｍｍ２／s、商品名「ＤＵＲＡＳＹＮ（登録商標）  １６４」、イネオスオリゴマーズジャパン社製）８４質量部に代えて、ポリ−α−オレフィン（４０℃動粘度：４６ｍｍ２／ｓ、商品名「ＤＵＲＡＳＹＮ（登録商標）  １６８」、イネオスオリゴマーズジャパン社製）８５質量部を配合し、リチウム石鹸の配合量が１０質量部となり、多孔質ポリアミド粒子（ＰＡ６）（平均粒子径１３μｍ、比表面積３．６ｍ２／ｇ、商品名「ＴＲ１」、東レ株式会社製）の配合量が４質量部となるように配合したこと以外は、実施例１と同様にして潤滑グリース組成物を調製して評価した。各評価における静止摩擦係数は、静止機能評価では０．１６であり、耐久性評価では０．１６であり、起動性評価では０．０７であった。また、低温性評価では、低温トルクが１９Ｎ・ｃｍであった。潤滑グリース組成物の配合量及び評価結果を下記表１に示す。
【００６９】
（比較例１）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８２質量部配合し、リチウム石鹸の配合量が９質量部となり、固体潤滑剤として多孔質ポリアミド粒子（ＰＡ６）（平均粒子径１３μｍ、比表面積３．６ｍ２／ｇ、商品名「ＴＲ１」、東レ株式会社製）２質量部に代えて、球状ポリアミド粒子（ＰＡ１２）（平均粒子径５μｍ、比表面積１．２ｍ２／ｇ、商品名「ＳＰ−５００」、東レ株式会社製）を８質量部配合したこと以外は、実施例１と同様にして潤滑グリース組成物を調製して評価した。各評価における静止摩擦係数は、静止機能評価では０．１８であり、耐久性評価では０．２０であり、起動性評価では０．１２であった。また、低温性評価では、低温トルクが１６Ｎ・ｃｍであった。潤滑グリース組成物の配合量及び評価結果を下記表２に示す。
【００７０】
（比較例２）
固体潤滑剤として球状ポリアミド粒子（ＰＡ１２）（平均粒子径５μｍ、比表面積１．２ｍ２／ｇ、商品名「ＳＰ−５００」、東レ株式会社製）８質量部配合に代えて、球状ポリアミド粒子（ＰＡ１２）（平均粒子径１０μｍ、比表面積０．７ｍ２／ｇ、商品名「ＳＰ−１０」、東レ株式会社製）を８質量部配合したこと以外は、比較例１と同様にして潤滑グリース組成物を調製して評価した。各評価における静止摩擦係数は、静止機能評価では０．１９であり、耐久性評価では０．２０であり、起動性評価では０．１２であった。また、低温性評価では、低温トルクが１７Ｎ・ｃｍであった。潤滑グリース組成物の配合量及び評価結果を下記表２に示す。
【００７１】
（比較例３）
固体潤滑剤として球状ポリアミド粒子（ＰＡ１２）（平均粒子径５μｍ、比表面積１．２ｍ２／ｇ、商品名「ＳＰ−５００」、東レ株式会社製）８質量部に代えて、球状ポリアミド粒子（ＰＡ６）（平均粒子径５０μｍ、比表面積０．１ｍ２／ｇ、商品名「１００１Ｐ」、東レ株式会社製）を８質量部配合したこと以外は、比較例１と同様にして潤滑グリース組成物を調製して評価した。各評価における静止摩擦係数は、静止機能評価では０．１３であり、耐久性評価では０．１３であり、起動性評価では０．０９であった。また、低温性評価では、低温トルクが１６Ｎ・ｃｍであった。潤滑グリース組成物の配合量及び評価結果を下記表２に示す。
【００７２】
（比較例４）
固体潤滑剤として多孔質ポリアミド粒子（ＰＡ６）（平均粒子径１３μｍ、比表面積３．６ｍ２／ｇ、商品名「ＴＲ１」、東レ株式会社製）４質量部に代えて、球状ポリアミド粒子（ＰＡ１２）（平均粒子径５μｍ、比表面積１．２ｍ２／ｇ、商品名「ＳＰ−５００」、東レ株式会社製）を４質量部配合したこと以外は、実施例８と同様にして潤滑グリース組成物を調製して評価した。各評価における静止摩擦係数は、静止機能評価では０．１８であり、耐久性評価では０．１９であり、起動性評価では０．１１であった。また、低温性評価では、低温トルクが１６Ｎ・ｃｍであった。潤滑グリース組成物の配合量及び評価結果を下記表２に示す。
【００７３】
（比較例５）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８４質量部に代えて、ポリ−α−オレフィン（４０℃動粘度：３０ｍｍ２／ｓ、商品名「ＤＵＲＡＳＹＮ（登録商標）  １６６」、イネオスオリゴマーズジャパン社製）を９０．５質量部配合し、リチウム石鹸の配合量が８質量部となり、多孔質ポリアミド粒子（ＰＡ６）（平均粒子径１３μｍ、比表面積３．６ｍ２／ｇ、商品名「ＴＲ１」、東レ株式会社製）の配合量を０．５質量部としたこと以外は、実施例１と同様にして潤滑グリース組成物を調製して評価した。各評価における静止摩擦係数は、静止機能評価では０．１６であり、耐久性評価では０．１２であり、起動性評価では０．０８であった。また、低温性評価では、低温トルクが１８Ｎ・ｃｍであった。潤滑グリース組成物の配合量及び評価結果を下記表２に示す。
【００７４】
（比較例６）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８４質量部に代えて、ポリ−α−オレフィン（４０℃動粘度：３０ｍｍ２／s、商品名「ＤＵＲＡＳＹＮ（登録商標）  １６６」、イネオスオリゴマーズジャパン社製）を７０質量部配合し、リチウム石鹸の配合量が８質量部となり、多孔質ポリアミド粒子（ＰＡ６）（平均粒子径１３μｍ、比表面積３．６ｍ２／ｇ、商品名「ＴＲ１」、東レ株式会社製）の配合量を２１質量部としたこと以外は、実施例１と同様にして潤滑グリース組成物を調製して評価した。各評価における静止摩擦係数は、静止機能評価では０．２２であり、耐久性評価では０．２０であり、起動性評価では０．１１であった。また、低温性評価では、低温トルクが２０Ｎ・ｃｍであった。潤滑グリース組成物の配合量及び評価結果を下記表２に示す。
【００７５】
（比較例７）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８４質量部に代えて、ポリ−α−オレフィン（４０℃動粘度：６８ｍｍ２／ｓ、商品名「ＤＵＲＡＳＹＮ（登録商標）  １７０」、イネオスオリゴマーズジャパン社製）を８４質量部配合し、リチウム石鹸の配合量が１１質量部となり、固体潤滑剤として多孔質ポリアミド粒子（ＰＡ６）（平均粒子径１３μｍ、比表面積３．６ｍ２／ｇ、商品名「ＴＲ１」、東レ株式会社製）の配合量を４質量部としたこと以外は、実施例１と同様にして潤滑グリース組成物を調製して評価した。各評価における静止摩擦係数は、静止機能評価では０．１６であり、耐久性評価では０．１３であり、起動性評価では０．０６であった。また、低温性評価では、低温トルクが３０Ｎ・ｃｍであった。潤滑グリース組成物の配合量及び評価結果を下記表２に示す。
【００７６】
（比較例８）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８４質量部に代えて、ポリ−α−オレフィン（４０℃動粘度：５ｍｍ２／ｓ、商品名「ＤＵＲＡＳＹＮ（登録商標）  １６２」、イネオスオリゴマーズジャパン社製）を８４質量部配合し、リチウム石鹸の配合量が１１質量部となり、固体潤滑剤として多孔質ポリアミド粒子（ＰＡ６）（平均粒子径１３μｍ、比表面積３．６ｍ２／ｇ、商品名「ＴＲ１」、東レ株式会社製）の配合量を４質量部としたこと以外は、実施例１と同様にして潤滑グリース組成物を調製して評価した。各評価における静止摩擦係数は、静止機能評価では０．１６であり、耐久性評価では０．１９であり、起動性評価では０．１２であった。また、低温性評価では、低温トルクが１４Ｎ・ｃｍであった。潤滑グリース組成物の配合量及び評価結果を下記表２に示す。
【００７７】
（比較例９）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８４質量部に代えて、ポリ−α−オレフィン（４０℃動粘度：３０ｍｍ２／s、商品名「ＤＵＲＡＳＹＮ（登録商標）  １６６」、イネオスオリゴマーズジャパン社製）を８１質量部配合し、リチウム石鹸の配合量が８質量部となり、固体潤滑剤として多孔質ポリアミド粒子（ＰＡ６）（平均粒子径１３μｍ、比表面積３．６ｍ２／ｇ、商品名「ＴＲ１」、東レ株式会社製）２質量部に代えて、炭酸カルシウム（平均粒子径３０μｍ、商品名「ＳＦＴ−２０００」、三共精粉株式会社製）１０質量部を配合したこと以外は、実施例１と同様にして潤滑グリース組成物を調製して評価した。各評価における静止摩擦係数は、静止機能評価では０．２４であり、耐久性評価では０．２１であり、起動性評価では０．１５であった。また、低温性評価では、低温トルクが１７Ｎ・ｃｍであった。潤滑グリース組成物の配合量及び評価結果を下記表２に示す。
【００７８】
（比較例１０）
基油としてポリ−α−オレフィン（４０℃動粘度：１８ｍｍ２／s、商品名「ＤＵＲＡＳＹＮ（登録商標）  １６４」、イネオスオリゴマーズジャパン社製）を８４質量部に代えて、ポリ−α−オレフィン（４０℃動粘度：３０ｍｍ２／ｓ、商品名「ＤＵＲＡＳＹＮ（登録商標）  １６６」、イネオスオリゴマーズジャパン社製）を８０質量部配合し、リチウム石鹸の配合量が８質量部となり、固体潤滑剤として多孔質ポリアミド粒子（ＰＡ６）（平均粒子径１３μｍ、比表面積３．６ｍ２／ｇ、商品名「ＴＲ１」、東レ株式会社製）の配合量を２質量部に代えて、ポリテトラフルオロエチレン（ＰＴＦＥ）（商品名「ダイニオン（登録商標）ＴＦ９２０７」、スリーエムジャパン株式会社製）１質量部と、メラミンシアヌレート（ＭＣＡ）（商品名「ＭＣ−６０００」、日産化学株式会社製）１０質量部を併用したこと以外は、実施例１と同様にして潤滑グリース組成物を調製して評価した。各評価における静止摩擦係数は、静止機能評価では０．１３であり、耐久性評価では０．２１であり、起動性評価では０．１３であった。また、低温性評価では、低温トルクが１８Ｎ・ｃｍであった。潤滑グリース組成物の配合量及び評価結果を下記表２に示す。
【００７９】
＜評価方法＞
以下の試験により、静止機能評価、耐久性評価及び起動性評価を実施した。各評価は、付着滑り試験機（往復動試験機）（神鋼造機株式会社製）を用いて、各種試験条件下、下部試験片としての金属プレート上にグリースを塗布し、上から樹脂製の上部試験片を押しつけて往復摺動させたときに、樹脂製ボールと金属プレートとの間に発生する摩擦力から測定した摩擦係数に基づいて実施した。
【００８０】
（静止機能評価）
下記条件で往復動試験を実施した。摺動１回目の静摩擦係数について、以下の基準で評価した。
０．１５以上：○
０．１５未満：×
＜試験条件＞
上部試験片      ：ＰＯＭシリンダー（直径１０ｍｍ、長さ１０ｍｍ）
下部試験片      ：Ｓ４５Ｃプレート（金属プレート）
試験荷重        ：１ｋｇｆ
グリース塗布量  ：０．０５ｇ
摺動速度        ：５ｍｍ／ｓｅｃ
試験温度        ：８０℃
摺動距離        ：１０ｍｍ【００８１】
（耐久性評価）
下記条件で往復動試験を実施した。摺動１００回目の静摩擦係数について、以下の基準で評価した。
０．１５以上：○
０．１５未満：×
＜試験条件＞
上部試験片      ：ＰＯＭシリンダー（直径１０ｍｍ、長さ１０ｍｍ）
下部試験片      ：Ｓ４５Ｃプレート（金属プレート）
試験荷重        ：１ｋｇｆ
グリース塗布量  ：０．０５ｇ
摺動速度        ：５ｍｍ／ｓｅｃ
試験温度        ：８０℃
摺動距離        ：１０ｍｍ【００８２】
（起動性評価）
下記条件で往復動試験を実施した。過重負荷状態で１６時間静止後の摺動１回目の静摩擦係数について、以下の基準で評価した。
０．１以下：○
０．１超え：×
＜試験条件＞
上部試験片      ：ＰＯＭボール（直径１０ｍｍ）
下部試験片      ：Ｓ４５Ｃプレート（金属プレート）
試験荷重        ：１０ｋｇｆ
グリース塗布量  ：０．０５ｇ
摺動速度        ：５ｍｍ／ｓｅｃ
試験温度        ：８０℃
摺動距離        ：１０ｍｍ【００８３】
（低温性評価）
試験温度を−４０℃とし、ＪＩＳ  Ｋ２２２０．１８の低温トルク試験方法に準拠して実施した。起動トルクについて以下の基準で評価した。
２０Ｎ・ｃｍ以下：○
２０Ｎ・ｃｍ超え：×【００８４】
【表１】
0006775770.tif 000002
【００８５】
【表２】
0006775770.tif 000003
【００８６】
上記表１における各成分の配合量は、下記の通りである。
基油Ａ：ポリ−α−オレフィン（４０℃動粘度：１８ｍｍ２／s、商品名「ＤＵＲＡＳＹＮ（登録商標）  １６４」、イネオスオリゴマーズジャパン社製）
基油Ｂ：ポリ−α−オレフィン（４０℃動粘度：３０ｍｍ２／s、商品名「ＤＵＲＡＳＹＮ（登録商標）  １６６」、イネオスオリゴマーズジャパン社製）
基油Ｃ：ポリ−α−オレフィン（４０℃動粘度：４６ｍｍ２／s、商品名「ＤＵＲＡＳＹＮ（登録商標）  １６８」、イネオスオリゴマーズジャパン社製）
基油Ｄ：ポリ−α−オレフィン（４０℃動粘度：６８ｍｍ２／s、商品名「ＤＵＲＡＳＹＮ（登録商標）  １７０」、イネオスオリゴマーズジャパン社製）
基油Ｅ：ポリ−α−オレフィン（４０℃動粘度：５ｍｍ２／s、商品名「ＤＵＲＡＳＹＮ（登録商標）  １６２」、イネオスオリゴマーズジャパン社製）
増稠剤Ａ：リチウム石鹸（自社合成物）
増稠剤Ｂ：リチウム複合石鹸（自社合成物）
固体潤滑剤Ａ：多孔質ポリアミド粒子（ＰＡ６）（平均粒子径１３μｍ、比表面積３．６ｍ２／ｇ、商品名「ＴＲ１」、東レ株式会社製）
固体潤滑剤Ｂ：多孔質ポリアミド粒子（ＰＡ６）（平均粒子径１３μｍ、比表面積２．５ｍ２／ｇ、商品名「ＴＲ２」、東レ株式会社製）
固体潤滑剤Ｃ：多孔質ポリアミド粒子（ＰＡ１２）（平均粒子径５μｍ、比表面積８．７ｍ２／ｇ、商品名「ＯＲＧＡＳＯＬ（登録商標）  ２００１  ＵＤ」、アルケマ株式会社製）
固体潤滑剤Ｄ：多孔質ポリアミド粒子（ＰＡ１２）（平均粒子径１０μｍ、比表面積２．５ｍ２／ｇ、商品名「ＯＲＧＡＳＯＬ（登録商標）  ２００１  ＥＸＤ」、アルケマ株式会社製）
固体潤滑剤Ｅ：球状ポリアミド粒子（ＰＡ１２）（平均粒子径５μｍ、比表面積１．２ｍ２／ｇ、商品名「ＳＰ−５００」、東レ株式会社製）
固体潤滑剤Ｆ：球状ポリアミド粒子（ＰＡ１２）（平均粒子径１０μｍ、比表面積０．７ｍ２／ｇ、商品名「ＳＰ−１０」、東レ株式会社製）
固体潤滑剤Ｇ：球状ポリアミド粒子（ＰＡ６）（平均粒子径５０μｍ、比表面積０．１ｍ２／ｇ、商品名「１００１Ｐ」、東レ株式会社製）
固体潤滑剤Ｈ：炭酸カルシウム（平均粒子径３０μｍ、商品名「ＳＦＴ−２０００」、三共精粉株式会社製）
固体潤滑剤Ｉ：ポリテトラフルオロエチレン（ＰＴＦＥ）（商品名「ダイニオン（登録商標）ＴＦ９２０７」、スリーエムジャパン株式会社製）
固体潤滑剤Ｊ：メラミンシアヌレート（ＭＣＡ）（商品名「ＭＣ−６０００」、日産化学株式会社製）
酸化防止剤：フェニルナフチルアミン（商品名「ＶＡＮＬＵＢＥ（登録商標）  ８１」、三洋化成工業株式会社製）
【００８７】
表１から分かるように、潤滑グリース組成物は、４０℃動粘度が１０ｍｍ２／ｓ以上６０ｍｍ２／ｓ以下の合成炭化水素油を含む基油と、リチウム石鹸及びリチウム複合石鹸からなる群から選択された少なくとも１種を含む増稠剤と、比表面積が２．０ｍ２／ｇ以上であって、平均粒子径が１μｍ以上３０μｍ以下の多孔質ポリアミド粒子を潤滑グリース組成物の全質量に対して、１質量％以上２０質量％以下含む固体潤滑剤と、を含有することにより、静止機能評価、耐久性評価、起動性評価及び低温性評価で優れた結果が得られることが分かる（実施例１〜実施例１２）。この結果から、本実施例に係る潤滑グリース組成物によれば、静止機能が高く、耐久性、起動性、低温性に優れた潤滑グリース組成物を実現できることが分かる。
【００８８】
これに対して、表２から分かるように、比表面積が２．０ｍ２／ｇ未満の球状ポリアミド粒子の固体潤滑剤を含む場合には、起動性評価が悪化することが分かる（比較例１、比較例２及び比較例４）。この結果は、固体潤滑剤として用いた球状ポリアミド粒子の比表面積が小さすぎたために基油とのなじみが悪化し、高荷重下で長時間静止した後の起動時の静摩擦係数が高くなり起動性が悪化したためと考えられる。また、固体潤滑剤の平均粒子径が３０μｍ超えの場合には、静止機能評価及び耐久性評価が悪化することが分かる（比較例３）。この結果は、固体潤滑剤の平均粒子径が大きすぎるために、球状ポリアミド粒子が摺動部材間に十分に入れずに静止摩擦係数が増大して十分な静止機能及び耐久性が得られなかったためと考えられる。【００８９】
また、固体潤滑剤の比表面積が２．０ｍ２／ｇ以上であって、平均粒子径が１μｍ以上３０μｍ以下の多孔質ポリアミド粒子を含む場合であっても、固体潤滑剤の配合量が潤滑グリース組成物の全質量に対して１質量部未満の場合には、耐久性評価が悪化することが分かる（比較例５）。この結果は、多孔質ポリアミド粒子が少なすぎるために、十分な静止摩擦係数が得られずに耐久性が低くなったためと考えられる。さらに、また、固体潤滑剤の比表面積が２．０ｍ２／ｇ以上であって、平均粒子径が１μｍ以上３０μｍ以下の多孔質ポリアミド粒子を含む場合であっても、固体潤滑剤の配合量が潤滑グリース組成物の全質量に対して２０質量部超えの場合には、起動性評価が悪化することが分かる（比較例６）。この結果は、多孔質ポリアミド粒子が多すぎるために、起動時の静止摩擦係数が高くなりすぎて機動性が悪化したためと考えられる。
【００９０】
また、基油の４０℃動粘度が６０ｍｍ２／ｓ超えの場合には、耐久性評価及び低温性評価が悪化することが分かる（比較例７）。この結果は、基油の粘度が高すぎたために、十分な潤滑性能が得られなかったためと考えられる。さらに、４０℃動粘度が１０ｍｍ２／ｓ未満の場合には、起動性評価が悪化することが分かる（比較例８）。この結果は、基油の粘度が低すぎるために、起動時に十分な静摩擦係数が得られなかったためと考えられる。また、固体潤滑剤として炭酸カルシウムを含む場合には、起動性評価が悪化することが分かる（比較例９）。この結果は、炭酸カルシウムでは、十分な潤滑性が得られなかったために、起動時に十分な静摩擦係数が得られなかったためと考えられる。さらに、固体潤滑剤として、従来より用いられているポリテトラフルオロエチレン及びメラミンシアヌレートを含む場合には、静止機能評価及び起動性評価が悪化することが分かる（比較例１０）。この結果は、従来の固体潤滑剤では、静止状態及び起動時に十分な潤滑性能が得られなかったためと考えられる。
【００９１】
以上説明したように、本実施例によれば、摺動部材間の静摩擦係数を高くでき、起動性、耐久性及び低温性に優れた潤滑グリース組成物を実現できることが分かる。
【産業上の利用可能性】
【００９２】
本発明は、摺動部材間の静摩擦係数を高くでき、起動性、耐久性及び低温性に優れた潤滑グリース組成物を実現できるという効果を有し、例えば、減速機、増速機、ギヤ、チェーン、モーターなどの動力伝達装置、走行系部品、ＡＢＳなどの制動系部品、操舵系部品、変速機などの駆動系部品、パワーウィンドモーター、パワーシートモーター、サンルーフモーターなどの自動車補強部品などに好適に使用できる。
【００９３】
以上、本発明の一実施の形態について説明したが、本実施の形態の内容により本発明の実施の形態が限定されるものではない。また、上述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【要約】
摺動部材間の静摩擦係数を高くでき、起動性、耐久性及び低温性に優れた潤滑グリース組成物を提供する。
潤滑グリース組成物は、４０℃動粘度が１０ｍｍ２／ｓ以上６０ｍｍ２／ｓ以下の基油と、金属石鹸及び金属複合石鹸からなる群から選択された少なくとも１種の石鹸を含む増稠剤と、多孔質ポリアミド粒子を含む固体潤滑剤と、を含有する。多孔質ポリアミド粒子の配合量は、潤滑グリース組成物の全質量に対して、１質量％以上２０質量％以下である。